(57)【特許請求の範囲】
【請求項１】
長尺状感光材料シートを巻芯の周囲に巻き付けてなる感光材料ロール、該感光材料ロールの巻芯の両端部のそれぞれに取り付けられた、感光材料ロールの半径と略同一かもしくはわずかに大きい半径を有する円盤状遮光部材、該感光材料ロールの長尺状感光材料シートの先端部に接合されている、長さが該円盤状遮光部材の円周よりも長く、幅が該長尺状感光材料シートの幅よりも広い、幅方向よりも長さ方向に相対的に大きな熱収縮性を有する遮光リーダから構成され、感光材料ロールの巻芯に円盤状遮光部材が取り付けられている状態で、該遮光リーダを感光材料ロールの周囲に巻き付け、遮光リーダの熱収縮により、該円盤状遮光部材の外側表面の少なくとも一部に遮光リーダの端部を遮光的に接触させた遮光性感光材料ロールであって、前記遮光リーダは、前記円盤状遮光部材の円周よりも大きな幅を持ち、１００℃における熱収縮率が長さ方向よりも幅方向に相対的に大きな広幅の長尺状熱収縮性遮光シートから切り取ったものを、その相対的に熱収縮率が大きな方向が、前記長尺状感光材料シートの長さ方向に一致するようにして、感光材料シートに接合したものであることを特徴とする遮光性感光材料ロール。
【請求項２】
１００℃における熱収縮率が長さ方向よりも幅方向に相対的に大きな長尺状熱収縮性遮光シートを幅方向に裁断して得たものであることを特徴とする請求項１に記載の遮光性感光材料ロール用の遮光リーダ。
【請求項３】
長尺状感光材料シートを巻芯の周囲に巻き付けてなる感光材料ロール、該感光材料ロールの巻芯の両端部のそれぞれに取り付けられた、感光材料ロールの半径と略同一かもしくはわずかに大きい半径を有する円盤状遮光部材、該感光材料ロールの長尺状感光材料シートの先端部に接合されている、長さが該円盤状遮光部材の円周よりも長く、幅が該長尺状感光材料シートの幅よりも広い、幅方向よりも長さ方向に相対的に大きな熱収縮性を有する遮光リーダから構成され、感光材料ロールの巻芯に円盤状遮光部材が取り付けられている状態で、該遮光リーダを感光材料ロールの周囲に巻き付け、遮光リーダの熱収縮により、該円盤状遮光部材の外側表面の少なくとも一部に遮光リーダの端部を遮光的に接触させた遮光性感光材料ロールを製造する方法であって、前記円盤状遮光部材の円周よりも大きな幅を持ち、１００℃における熱収縮率が長さ方向よりも幅方向に相対的に大きな広幅の長尺状熱収縮性遮光シートから切り取ったものを前記遮光リーダとして用い、その相対的に熱収縮率が大きな方向が、前記長尺状感光材料シートの長さ方向に一致するように感光材料シートに接合することを特徴とする方法。
【請求項４】
遮光リーダが１００℃における熱収縮率が長さ方向よりも幅方向に相対的に大きな長尺状熱収縮性遮光シートを幅方向に裁断して得たものであることを特徴とする請求項３に記載の方法。
【発明の詳細な説明】
【０００１】
【発明の属する技術分野】
本発明は、長尺状感光材料シートを巻芯の周囲に巻き付けてなる感光材料ロールの包装体、及び感光材料ロールを包装するのに好適に用いることができる遮光リーダに関する。
【０００２】
【従来の技術】
長尺な印画紙などの感光材料シートを巻芯の周囲に巻き付けてなる感光材料ロールの巻芯の両端部に円盤状遮光部材（遮光フランジともいう）を取り付け、そして、その外周に遮光リーダを円盤状遮光部材の周囲を覆うようにして巻き付けた感光材料ロールの包装体（以下、遮光性感光材料ロールという）は、感光材料シートを露光させることなく明室で機械に装填することができ、その取り扱いが容易であることから様々な用途に使用されている（例えば、特開平８−６２７８３号公報参照）。
【０００３】
【発明が解決しようとする課題】
長尺状感光材料シートは、その用途に応じて種々の幅寸法のものが使用されている。幅寸法の異なる長尺状感光材料シートをロール状にして包装するには、その長尺状感光材料シートからなる感光材料ロールの幅寸法に合わせた幅の遮光リーダを用意する必要がある（例えば、感光材料ロールの幅が２０種類あれば、幅の異なる遮光リーダが２０種類必要となる）。しかしながら、感光材料ロール毎に、遮光リーダを交換していたのでは生産性が低くなり、さらに、遮光リーダの保管場所の確保が必要となるなどの問題がある。
【０００４】
従って、本発明の目的は、長尺状感光材料シートの幅寸法に合わせて、遮光リーダを交換することなく容易に製造することができる遮光性感光材料ロールを提供することにある。さらに、本発明の目的は、上記の遮光性感光材料ロールにおいて有利に使用できる遮光リーダを提供することにもある。
【０００５】
【課題を解決するための手段】
本発明は、長尺状感光材料シートを巻芯の周囲に巻き付けてなる感光材料ロール、該感光材料ロールの巻芯の両端部のそれぞれに取り付けられた、感光材料ロールの半径と略同一かもしくはわずかに大きい半径を有する円盤状遮光部材、該感光材料ロールの長尺状感光材料シートの先端部に接合されている、長さが該円盤状遮光部材の円周よりも長く、幅が該長尺状感光材料シートの幅よりも広い、幅方向よりも長さ方向に相対的に大きな熱収縮性を有する遮光リーダから構成され、感光材料ロールの巻芯に円盤状遮光部材が取り付けられている状態で、該遮光リーダを感光材料ロールの周囲に巻き付け、遮光リーダの熱収縮により、該円盤状遮光部材の外側表面の少なくとも一部に遮光リーダの端部を遮光的に接触させた遮光性感光材料ロールであって、前記遮光リーダは、前記円盤状遮光部材の円周よりも大きな幅を持ち、１００℃における熱収縮率が長さ方向よりも幅方向に相対的に大きな広幅の長尺状熱収縮性遮光シートから切り取ったものを、その相対的に熱収縮率が大きな方向が、前記長尺状感光材料シートの長さ方向に一致するようにして、感光材料シートに接合したものであることを特徴とする遮光性感光材料ロールにある。
【０００６】
さらに、本発明は、１００℃における熱収縮率が長さ方向よりも幅方向に相対的に大きな長尺状熱収縮性遮光シートを幅方向に裁断して得たものであることを特徴とする上記の遮光性感光材料ロール用の遮光リーダにもある。
【０００７】
本発明はまた、長尺状感光材料シートを巻芯の周囲に巻き付けてなる感光材料ロール、該感光材料ロールの巻芯の両端部のそれぞれに取り付けられた、感光材料ロールの半径と略同一かもしくはわずかに大きい半径を有する円盤状遮光部材、該感光材料ロールの長尺状感光材料シートの先端部に接合されている、長さが該円盤状遮光部材の円周よりも長く、幅が該長尺状感光材料シートの幅よりも広い、幅方向よりも長さ方向に相対的に大きな熱収縮性を有する遮光リーダから構成され、感光材料ロールの巻芯に円盤状遮光部材が取り付けられている状態で、該遮光リーダを感光材料ロールの周囲に巻き付け、遮光リーダの熱収縮により、該円盤状遮光部材の外側表面の少なくとも一部に遮光リーダの端部を遮光的に接触させた遮光性感光材料ロールを製造する方法であって、前記円盤状遮光部材の円周よりも大きな幅を持ち、１００℃における熱収縮率が長さ方向よりも幅方向に相対的に大きな広幅の長尺状熱収縮性遮光シートから切り取ったものを前記遮光リーダとして用い、その相対的に熱収縮率が大きな方向が、前記長尺状感光材料シートの長さ方向に一致するように感光材料シートに接合することを特徴とする方法にもある。
【０００８】
さらに、本発明は、遮光リーダが１００℃における熱収縮率が長さ方向よりも幅方向に相対的に大きな長尺状熱収縮性遮光シートを幅方向に裁断して得たものであることを特徴とする上記の方法にもある。
【０００９】
【発明の実施の形態】
添付図面の図１に、本発明の遮光性感光材料ロールの一例の分解斜視図を示す。本発明の遮光性感光材料ロールは、長尺状感光材料シート３を巻芯２に巻き付けてなる感光材料ロール１、感光材料ロール１の巻芯の両端部に取り付けられ、感光材料ロールの両端面に照射する光を遮光する一対の円盤状遮光部材４、そして、感光材料ロールの長尺状感光材料シートの先端に接合され、感光材料ロールの周囲に巻き付けられて、感光材料ロールの外周面に照射する光を遮光する熱収縮性の遮光リーダ５ａ、そして、遮光リーダ５ａと長尺状感光材料シート３とを接合する粘着テープ６ａ、及び遮光リーダを巻き止めするための粘着テープ６ｂから構成される。
【００１０】
図１に示す本発明の遮光性感光材料ロールは、遮光リーダ５ａが、円盤状遮光部材４の円周よりも大きな幅を持ち、１００℃における熱収縮率が、長さ方向よりも幅方向に相対的に大きな広幅の長尺状熱収縮性遮光シートを、長尺状感光材料シート３の幅よりも長尺状熱収縮性遮光シートの長さ方向における長さが大きくなるように裁断して得たものであることに主な特徴がある。
【００１１】
図１に示す本発明の遮光性感光材料ロールは、感光材料ロール１の巻芯２の中空部に円盤状遮光部材４の中央に設けられているリング状突起４ａをはめ込んで、次いで、遮光リーダ５ａを長尺状感光材料シート３の先端に接合し、遮光リーダを感光材料ロールの周囲に一周以上巻き付け、そして遮光リーダ５ａの熱収縮により、円盤状遮光部材４の外側表面の少なくとも一部に遮光リーダの両端部を遮光的に接触させることにより製造することができる。ここで、遮光的に接触させるとは、円盤状遮光部材の外側表面と遮光リーダの両端部とが、感光材料シートを露光させるような隙間をつくらないように接触させることを意味する。なお、遮光性感光材料ロールから感光材料シートを容易に取り出すために、円盤状遮光部材の外側表面と遮光リーダの両端部とは融着あるいは接着していないことが好ましい。
【００１２】
遮光リーダの熱収縮は、感光材料ロールに遮光リーダを巻き付けながら、遮光リーダと円盤状遮光部材との接触部の遮光リーダ表面に熱風を吹き付けることにより行っても、あるいは感光材料ロールに遮光リーダを巻き付け、遮光リーダの終端部を粘着テープで封止した後、遮光リーダと円盤状遮光部材との接触部の遮光リーダ表面に熱風を吹き付けることによって行っても良い。
【００１３】
図１に示した遮光性感光材料ロールに用いることができる本発明の遮光リーダについて、さらに詳しく説明する。添付図面の図２に、広幅の長尺状熱収縮性遮光シート、本発明の遮光リーダ、そして感光材料ロールの一例の正面図を示す。遮光リーダ５ａは、１００℃における熱収縮率が、長さ方向よりも幅方向に相対的に大きな熱収縮性を有し、幅Ｌ1の長尺状熱収縮性遮光シート７をその幅方向に裁断することにより得たものである。
【００１４】
本発明の遮光リーダ５ａにおける長さ方向の長さ（すなわち、長尺状熱収縮性遮光シート７の幅）Ｌ1は、感光材料ロールの巻芯に取り付けられている円盤状遮光部材４の円周よりも大きく、円盤状遮光部材の円周の１倍以上、３倍以下であることが好ましい。
【００１５】
本発明の遮光リーダ５ａにおける幅方向の長さＷ1は、感光材料ロール１の長尺状感光材料シート３の幅Ｗ2と巻芯に取り付けられている円盤状遮光部材４の厚みＷ3との和（Ｗ2＋２×Ｗ3）に、円盤状遮光部材のそれぞれの外側表面に接触させる部分の幅αを加えた値（Ｗ2＋２×Ｗ3＋２×α）である。円盤状遮光部材の外側表面に接触させる部分の幅αは、遮光リーダの長さ方向の熱収縮率などを考慮して任意に設定するが、通常は、５〜１５ｍｍの範囲内であることが好ましく、５〜１０ｍｍの範囲であることがより好ましい。
【００１６】
長尺状熱収縮性遮光シート７の熱収縮率は、１００℃において、長さ方向（遮光リーダにおいては幅方向）で３０％未満、幅方向（遮光リーダにおいては長さ方向）で５〜３０％であって、幅方向の収縮率が、長さ方向の収縮率よりも絶対的な差として１％以上（好ましくは３％さらに好ましくは５％以上）大きいものであることが望ましい。なお、ここでの長尺状熱収縮性遮光シートの熱収縮率は、ＪＩＳ  Ｚ  １７０９−１９７６（収縮包装用フィルム）に規定されている方法により測定した値である。
【００１７】
長尺状熱収縮性遮光シート７は、カーボンブラックなどの着色剤を混入し遮光性を付与したプラスチックシートを幅方向に延伸加工して得られたシートや、熱収縮性をほとんどあるいは全く有しない長尺遮光性シートと長さ方向よりも幅方向に相対的に大きなに熱収縮性を有する長尺熱収縮性シート（シュリンクフィルム）とを貼り合わせた積層シート等が挙げられる。また、長尺状熱収縮性遮光シートは、ロール状に巻かれていることが好ましい。
【００１８】
添付図面の図３に、図１に示した部材からなる本発明の遮光性感光材料ロールの斜視図を示す。図３に示す本発明の遮光性感光材料ロールにおいて、遮光リーダ５ａの円盤状遮光部材４の外側表面に接触した部分の幅αが１０ｍｍ、円盤状遮光部材の直径φLが１５０ｍｍである場合には、遮光リーダ５ａの長さ方向の熱収縮率は、１３．３％［＝２×α／φL×１００％＝２×１０／１５０×１００％］以上であることが必要になる。
【００１９】
添付図面の図４に、本発明に包含されない遮光性感光材料ロールの別の一例の分解斜視図を示す。図４に示す遮光性感光材料ロールは、遮光リーダ５ｂが、長さが円盤状遮光部材の円周よりも長く、幅が該長尺状感光材料シートの幅と略同一の遮光シート（熱収縮性をほとんどあるいは全く示さない）８の両側部に、それぞれ幅方向に突き出すように両側端部に沿って、長さが該円盤状遮光部材の円周よりも長く、長さ方向に沿って引裂き可能な熱収縮性遮光フィルム９が付設されてなるものであるところが図１に示した構成の遮光性感光材料ロールと異なる。そして、この遮光性感光材料ロールは、遮光シート８が、円盤状遮光部材４の円周よりも大きな幅を持つ広幅の遮光シートを、長尺状感光材料シート３の幅と該広幅の遮光シートの長さ方向における長さが略同一の大きさになるように裁断して得たものであることに主な特徴がある。
【００２０】
図４に示す遮光性感光材料ロールは、前記図１に示す遮光性感光材料ロールと同様に、感光材料ロール１の巻芯２の中空部に円盤状遮光部材４の中央に設けられているリング状突起４ａをはめ込んで、次いで、遮光リーダ５ｂを長尺状感光材料シート３の先端に接合し、遮光リーダを感光材料ロールの周囲に一周以上巻き付け、そして遮光リーダの熱収縮性遮光フィルム９の熱収縮により、円盤状遮光部材４の外側表面の少なくとも一部に遮光リーダの熱収縮性遮光フィルムを遮光的に接触させた状態で融着させることにより製造することができる。
【００２１】
図４に示した遮光性感光材料ロールに用いることができる遮光リーダについて、さらに詳しく説明する。添付図面の図５に、広幅の遮光シート、遮光リーダ用の遮光シート、そして感光材料ロールの一例の正面図を示す。遮光リーダ用の遮光シート８は、幅Ｌ2の広幅の遮光シート１０をその幅方向に裁断することにより得たものである。
【００２２】
上記の遮光リーダ用の遮光シート８における長さ方向の長さ（すなわち、広幅の遮光シート１０の幅）Ｌ2は、前記熱収縮性遮光リーダと同様に、感光材料ロールの巻芯に取り付けられている円盤状遮光部材４の円周よりも大きく、円盤状遮光部材の円周の１倍以上、３倍以下であることが好ましい。一方、遮光シート８の幅Ｗ4は、感光材料ロール１の長尺状感光材料シート３の幅Ｗ2とほぼ同一であることが好ましい。
【００２３】
図４に示した遮光性感光材料ロールに用いることができる遮光リーダは、上記の遮光リーダ用の遮光シートの長さ方向に沿って長尺状の熱収縮性遮光フィルムを付設することにより製造することができる。熱収縮性遮光フィルムは長さ方向に引裂き可能であって、その熱収縮率は、前記熱収縮性遮光リーダと同様に１００℃において、長さ方向で５〜３０％、幅方向で３０％未満であって、長さ方向の収縮率が、幅方向の収縮率よりも絶対的な差として１％以上（好ましくは３％さらに好ましくは５％以上）大きいものであることが望ましい。熱収縮性遮光フィルムの例としては、長さ方向に大きな熱収縮性を有し、かつ長さ方向に引き裂き可能な透明あるいは半透明のシュリンクフィルムに、熱収縮性をほとんどあるいは全く示さない遮光性フィルムを貼り合わせた積層フィルムを挙げることができるが、これに限定されるものではない。この積層熱収縮性遮光フィルムに使用できるシュリンクフィルムとしては、例えば、ファンシーラップ（商品名、グンゼ（株）製）のグレードがＴＨＳ、ＴＮＳ、ＴＡＳ、ＴＢＳ、ＴＲＳであるものを挙げることができる。また、積層熱収縮性遮光フィルムに使用できる遮光性フィルムとしては、例えば、カーボンブラックなどの着色剤を混入させた低密度ポリエチレンフィルムなどのフィルムを挙げることができる。
【００２４】
添付図面の図６に、図４に示した部材からなる遮光性感光材料ロールの斜視図を示す。図６に示す遮光性感光材料ロールは、遮光リーダ５ｂの熱収縮性遮光フィルム９が、引裂き可能であることから、熱収縮性遮光フィルムを引裂いて、感光材料シートを取り出すことができる。従って、この遮光性感光材料ロールでは、遮光リーダ５ｂの熱収縮性遮光フィルム９と円盤状遮光部材４とが遮光的に接触している部分は融着していても良いのである。
【００２５】
【発明の効果】
本発明の遮光性感光材料ロールは、長尺状感光材料シートの幅寸法に合わせて、遮光リーダを交換する必要がないことから、生産性が高くなる。また、本発明の遮光性感光材料ロールは、幅寸法の異なる遮光リーダを用意する必要がないことから、遮光リーダの保管場所を小さくすることができ、経済的に有利である。
【図面の簡単な説明】
【図１】  本発明の遮光性感光材料ロールの一例の分解斜視図である。
【図２】  長尺状熱収縮性遮光シート、本発明の遮光リーダ、そして感光材料ロールの一例の正面図である。
【図３】  図１に示した部材からなる本発明の遮光性感光材料ロールの一例の斜視図である。
【図４】  本発明に包含されない遮光性感光材料ロールの別の一例の分解斜視図である。
【図５】  広幅の遮光シート、遮光リーダ用遮光シート、そして感光材料ロールの一例の正面図である。
【図６】  図４に示した部材からなる本発明に包含されない遮光性感光材料ロールの一例の斜視図である。
【符号の説明】
１  感光材料ロール
２  巻芯
３  長尺状感光材料シート
４  円盤状遮光部材
４ａ  突起
５ａ、５ｂ  遮光リーダ
６ａ、６ｂ  粘着テープ
７  広幅の長尺状熱収縮性遮光シート
８  遮光シート
９  熱収縮性遮光フィルム
１０  広幅の長尺遮光シート
【図１】
0003967859.tif 000002
【図２】
0003967859.tif 000003
【図３】
0003967859.tif 000004
【図４】
0003967859.tif 000005
【図５】
0003967859.tif 000006
【図６】
0003967859.tif 000007